(57)【要約】      （修正有）【課題】ユーザが健康状態を把握する作業を毎日継続できるように、ユーザを巧みに誘導できる健康管理システムおよび建物を提供する。【解決手段】ユーザの生体データを測定する測定部１と、生体データを用いて演算処理を行う演算部２と、演算部２の演算結果に基づいて生体データの測定結果を表示するための表示部３と、生体データの測定結果を選択するための操作部４と、を備える。表示部３は洗面台の鏡の背面に設けられ、鏡はハーフミラーとしての機能を有している。また、操作部４は、起床時にユーザが健康状態を把握する作業を行うように誘引し、帰宅時にユーザが健康状態を把握する作業を行うように誘引する設定となっている。【選択図】図１
2015082209.tif 000002
【特許請求の範囲】
【請求項１】
ユーザの各種の生体データを測定する測定部と、
前記各種の生体データを用いて演算処理を行う演算部と、
前記演算部の演算結果に基づいて前記各種の生体データの測定結果を表示するための表示部と、
前記各種の生体データの測定結果を選択するための操作部と、を備える健康管理システムにおいて、
前記表示部は洗面台の鏡の背面に設けられ、前記鏡はハーフミラーとしての機能を有しており、
前記操作部は、起床時にユーザが健康状態を把握する作業を行うように誘引し、帰宅時にユーザが健康状態を把握する作業を行うように誘引する設定となっていることを特徴とする健康管理システム。
【請求項２】
請求項１に記載の健康管理システムにおいて、
前記操作部は、入浴時にユーザが健康状態を把握する作業を行うように誘引する設定となっていることを特徴とする健康管理システム。
【請求項３】
請求項２に記載の健康管理システムにおいて、
前記操作部は、前記各種の生体データの測定結果を選択するためのメニューが表示される表示面を有しており、
前記表示面に表示されるメニューには、
起床時にユーザが健康状態を把握する作業を行うように誘引する起床時メニューと、
帰宅時にユーザが健康状態を把握する作業を行うように誘引する帰宅時メニューと、
入浴時にユーザが健康状態を把握する作業を行うように誘引する入浴時メニューと、が含まれることを特徴とする健康管理システム。
【請求項４】
請求項１〜３のいずれか一項に記載の健康管理システムにおいて、
前記操作部は、外部端末とネットワークを介して通信可能に接続されていることを特徴とする健康管理システム。
【請求項５】
請求項１〜４のいずれか一項に記載の健康管理システムにおいて、
前記演算部は、前記各種の生体データの測定結果の数値に対応し、かつ所定の基準線に対して垂直な二方向に伸びる棒グラフを前記表示部に表示することを特徴とする健康管理システム。
【請求項６】
請求項１〜５のいずれか一項に記載の健康管理システムが組み込まれる住宅等の建物であって、
前記洗面台が設置された洗面所と、玄関近くに配設される居室と、建物の上階または下階に配設される寝室と、を備えており、
前記洗面所は、平面視において前記居室と前記寝室とに対して近接配置されていることを特徴とする建物。
【発明の詳細な説明】
【技術分野】
【０００１】
本発明は、健康管理システムと、この健康管理システムが組み込まれる住宅等の建物に関する。
【背景技術】
【０００２】
毎日の健康状態を把握することは健康維持のために有効であると考えられており、例えば、洗面所のように毎日使用する空間で、ユーザの体重等の生体データを容易に測定できるとともに確認できる技術が知られている（例えば特許文献１参照）。
【先行技術文献】
【特許文献】
【０００３】
【特許文献１】特開２００８−２０６８３１号公報
【発明の概要】
【発明が解決しようとする課題】
【０００４】
しかしながら、測定する生体データの種類の多少に関わらず、健康状態を把握する作業を毎日行うことは手間であり、継続しがたいという問題があった。そこで、ユーザが健康状態を把握する作業を毎日継続できるように、ユーザを巧みに誘導できるような技術の開発が望まれていた。
【０００５】
本発明の課題は、ユーザが健康状態を把握する作業を毎日継続できるように、ユーザを巧みに誘導できる健康管理システムおよび建物を提供することを目的とする。
【課題を解決するための手段】
【０００６】
請求項１に記載の発明は、例えば図１〜図２６，図２９に示すように、ユーザの各種の生体データを測定する測定部１（１ａ，１ｂ）と、
前記各種の生体データを用いて演算処理を行う演算部２と、
前記演算部２の演算結果に基づいて前記各種の生体データの測定結果を表示するための表示部３と、
前記各種の生体データの測定結果を選択するための操作部４と、を備える健康管理システムにおいて、
前記表示部３は洗面台１１ａの鏡２０の背面に設けられ、前記鏡２０はハーフミラーとしての機能を有しており、
前記操作部４は、起床時にユーザが健康状態を把握する作業を行うように誘引し、帰宅時にユーザが健康状態を把握する作業を行うように誘引する設定となっていることを特徴とする。
【０００７】
ここで、生体データとは、測定部１（１ａ，１ｂ）によって測定されるユーザ固有の生体情報・生活情報であり、例えば血圧や体重、活動量、消費カロリー、睡眠時間等を指している。
【０００８】
請求項１に記載の発明によれば、操作部４が、起床時にユーザが健康状態を把握する作業を行うように誘引し、帰宅時にユーザが健康状態を把握する作業を行うように誘引する設定となっているので、ユーザを、起床時に健康状態を把握する作業を行うように誘導できるとともに、帰宅時に健康状態を把握する作業を行うように誘導できる。これによって、健康状態を把握する作業を毎日継続しやすくなる。
また、表示部３は、ハーフミラーとしての機能を有する洗面台１１ａの鏡２０の背面に設けられているので、普段は鏡２０を通常の鏡として使用することができ、健康状態を把握する作業を行う際に鏡２０を、健康状態の確認画面として使用することができる。
【０００９】
請求項２に記載の発明は、例えば図２３等に示すように、請求項１に記載の健康管理システムにおいて、
前記操作部４は、入浴時にユーザが健康状態を把握する作業を行うように誘引する設定となっていることを特徴とする。
【００１０】
請求項２に記載の発明によれば、操作部４が、入浴時にユーザが健康状態を把握する作業を行うように誘引する設定となっているので、ユーザを、入浴時に健康状態を把握する作業を行うように誘導できる。これによって、健康状態を把握する作業を毎日継続しやすくなる。
【００１１】
請求項３に記載の発明は、例えば図７〜図９等に示すように、請求項２に記載の健康管理システムにおいて、
前記操作部４は、前記各種の生体データの測定結果を選択するためのメニューが表示される表示面４ａを有しており、
前記表示面４ａに表示されるメニューには、
起床時にユーザが健康状態を把握する作業を行うように誘引する起床時メニュー４２Ａと、
帰宅時にユーザが健康状態を把握する作業を行うように誘引する帰宅時メニュー４２Ｂと、
入浴時にユーザが健康状態を把握する作業を行うように誘引する入浴時メニュー４２Ｃと、が含まれることを特徴とする。
【００１２】
請求項３に記載の発明によれば、操作部４の表示面４ａに表示されるメニューに、起床時にユーザが健康状態を把握する作業を行うように誘引する起床時メニュー４２Ａと、帰宅時にユーザが健康状態を把握する作業を行うように誘引する帰宅時メニュー４２Ｂと、入浴時にユーザが健康状態を把握する作業を行うように誘引する入浴時メニュー４２Ｃと、が含まれるので、ユーザを、起床時に起床時メニュー４２Ａを選択するように誘導でき、帰宅時に帰宅時メニュー４２Ｂを選択するように誘導でき、さらに、入浴時に入浴時メニュー４２Ｃを選択するように誘導できる。これによって、より一層、健康状態を把握する作業を毎日継続しやすくなる。
【００１３】
請求項４に記載の発明は、例えば図１に示すように、請求項１〜３のいずれか一項に記載の健康管理システムにおいて、
前記操作部４は、外部端末５０とネットワーク（例えばインターネット２ｂ）を介して通信可能に接続されていることを特徴とする。
【００１４】
請求項４に記載の発明によれば、操作部４は、外部端末５０とネットワークを介して通信可能に接続されているので、外部端末５０から操作部４を遠隔操作することができる。これによって、例えば遠隔地に住む高齢者の健康状態を把握したり、高齢者に対して自身の健康状態を把握するように促したりすることができる。
さらに、例えば外部端末５０の所有者が医師等の医療従事者である場合には、当該医療従事者がユーザの健康状態を判断し、ユーザに対して、ユーザの健康状態に関する専門的なアドバイスを提供することができる。
【００１５】
請求項５に記載の発明は、例えば図１１，図１４，図１８，図２１，図２５に示すように、請求項１〜４のいずれか一項に記載の健康管理システムにおいて、
前記演算部２は、前記各種の生体データの測定結果の数値に対応し、かつ所定の基準線３３ａ，３３ｂ，３４ａ，３５ａ，３６ａ，３７ａに対して垂直な二方向に伸びる棒グラフを前記表示部３に表示することを特徴とする。
【００１６】
請求項５に記載の発明によれば、演算部２は、各種の生体データの測定結果の数値に対応し、かつ所定の基準線３３ａ，３３ｂ，３４ａ，３５ａ，３６ａ，３７ａに対して垂直な二方向に伸びる棒グラフを表示部３に表示するので、ユーザは、基準線３３ａ，３３ｂ，３４ａ，３５ａ，３６ａ，３７ａと棒グラフとを比較して、自身の健康状態を容易に把握することができる。
【００１７】
請求項６に記載の発明は、例えば図４に示すように、請求項１〜５のいずれか一項に記載の健康管理システムが組み込まれる住宅等の建物５であって、
前記洗面台１１ａが設置された洗面所１１と、玄関７近くに配設される居室１０と、建物５の上階または下階に配設される寝室９と、を備えており、
前記洗面所１１は、平面視において前記居室１０と前記寝室９とに対して近接配置されていることを特徴とする。
【００１８】
請求項６に記載の発明によれば、洗面台１１ａが設置された洗面所１１が、平面視において玄関７近くに配設される居室１０と、建物５の上階または下階に配設される寝室９とに対して近接配置されているので、起床時においては寝室９から洗面所１１へと行きやすく、帰宅時においても玄関７から洗面所１１へと行きやすくなる。これによって、ユーザが健康状態を把握する作業を毎日継続しやすくなる。
【発明の効果】
【００１９】
本発明によれば、ユーザが健康状態を把握する作業を毎日継続できるように、ユーザを巧みに誘導できる。
【図面の簡単な説明】
【００２０】
【図１】健康管理システムを説明するブロック図である。
【図２】建物に組み込まれた健康管理システムの構成を説明する図である。
【図３】表示部が洗面台の鏡の背面に設けられた状態を示す図である。
【図４】健康管理システムが組み込まれる建物の一階の平面図である。
【図５】表示部の全体を示す六面図である。
【図６】表示部に表示される待機画面を示す図である。
【図７】操作部の正面およびメニュー画面の構成を示す図である。
【図８】操作部のメニュー画面を示す図である。
【図９】操作部のメニュー画面を示す図である。
【図１０】表示部に表示される呼びかけ欄のある画面を示す図である。
【図１１】表示部に表示されるグラフ表示欄のある画面を示す図である。
【図１２】詳細な測定結果についての表示がある操作部を示す図である。
【図１３】操作部のメニュー画面を示す図である。
【図１４】表示部に表示されるグラフ表示欄のある画面を示す図である。
【図１５】詳細な測定結果についての表示がある操作部を示す図である。
【図１６】操作部のメニュー画面を示す図である。
【図１７】表示部に表示される呼びかけ欄のある画面を示す図である。
【図１８】表示部に表示されるグラフ表示欄のある画面を示す図である。
【図１９】詳細な測定結果についての表示がある操作部を示す図である。
【図２０】操作部のメニュー画面を示す図である。
【図２１】表示部に表示されるグラフ表示欄のある画面を示す図である。
【図２２】詳細な測定結果についての表示がある操作部を示す図である。
【図２３】操作部のメニュー画面を示す図である。
【図２４】表示部に表示される呼びかけ欄のある画面を示す図である。
【図２５】表示部に表示されるグラフ表示欄のある画面を示す図である。
【図２６】詳細な測定結果についての表示がある操作部を示す図である。
【図２７】操作部のメニュー画面を示す図である。
【図２８】エネルギーマネージメント情報が表示される操作部を示す図である。
【図２９】操作部の変更に伴う表示部の画面の変形例を示す図である。
【発明を実施するための形態】
【００２１】
以下、図面を参照して本発明の実施の形態について説明する。
本実施の形態の健康管理システムは、図１〜図２８に示すように、ユーザの各種の生体データを測定する測定部１と、各種の生体データを用いて演算処理を行う演算部２と、演算部２の演算結果に基づいて各種の生体データの測定結果を表示するための表示部３と、各種の生体データの測定結果を選択するためのメニューが表示される表示面４ａを有する操作部４と、を備えるものである。
また、このような健康管理システムは、図２〜図４に示すように、住宅等の建物５に対して組み込まれている。また、図４においては紙面の上側が北とされ、建物５に対して方角が設定されている。
【００２２】
ここで、本実施の形態におけるユーザとは、住宅等の建物５に居住する居住者を指している。また、建物５に居住する居住者は、一人であってもよいが、本実施の形態においては複数とする。すなわち、ユーザとは、建物５に居住する家族全員を指している。
また、生体データとは、測定部によって測定されるユーザ固有の生体情報・生活情報であり、本実施の形態においては、例えば血圧や体重、活動量、消費カロリー、睡眠時間等を指している（後述する）。
【００２３】
まず、本実施の形態の健康管理システムが組み込まれる建物５について説明する。なお、本実施の形態の建物５は二世帯型住宅とされ、一階には所謂親世帯が居住し、二階には所謂子世帯が居住している。
図４は建物５の一階を示している。
建物５の一階は、南東側が外部に開放されたポーチ６とされ、このポーチ６を囲むようにして平面視略Ｌ字状に形成されている。
そして、ポーチ６に面して二つの玄関７，８が配設されている。
一方の玄関７はホール７ａを備えており、ホール７ａの北側出入口を通過すると主寝室９が配設されている。また、ホール７ａの西側出入口を通過すると居室１０が配設されている。この居室１０はリビングとダイニングとキッチンの機能を一室に併存させた部屋である。
主寝室９の西側であって、かつ居室１０の北側に洗面所１１が配設されている。洗面所１１における西側の部位には洗面台１１ａが設置され、洗面所１１における南東側の一画に洗濯機置場１１ｂが配設されている。洗面所１１の北側には、浴室１２とトイレ１３とが配設されている。
また、他方の玄関８はホール８ａを備えており、ホール８ａの北側には二階へと続く階段１４が設けられている。なお、図示はしないが、二階には、子世帯の居住者が居住する居住空間がある。
すなわち、このような建物５は、洗面台１１ａが設置された洗面所１１と、玄関７近くに配設される居室１０と、建物５の下階に配設される主寝室９と、を備えており、洗面所１１は、平面視において居室１０と寝室９とに対して近接配置されている。これによって、起床時においては主寝室９から洗面所１１へと行きやすく、帰宅時においても玄関７から洗面所１１へと行きやすくなるので、ユーザが健康状態を把握する作業を毎日継続しやすくなる。
さらに、居室１０についてより詳細に説明すると、当該居室１０は、流し台やコンロ等のあるキッチン１０ａや、ダイニングテーブルのあるリビングダイニング１０ｂを備える。さらに、玄関７のホール７ａから西側に向かって直線状に設けられる廊下１０ｃを備える。当該廊下１０ｃは、玄関７と洗面所１１とを結ぶ動線であり、帰宅時における健康状態を把握する作業を行う際に好適に用いられる。
つまり、ユーザが健康状態を把握する作業を毎日継続しやすくするためには、建物５のプランニングも重要であり、本実施の形態においては、起床時や帰宅時に洗面所１１に行きやすいプランが採用されているので好ましい。
なお、建物５のプランニングは、以上のものに限られるものではなく、適宜変更可能であることは言うまでもない。
【００２４】
そして、本実施の形態の健康管理システムは、図２，図３に示すように、主に洗面所１１に対して組み込まれた状態となっている。また、洗面台１１ａは、鏡２０と、この鏡２０が取り付けられる枠体２１と、洗面ボウルを有する洗面テーブル２３と、を備える。
枠体２１は矩形枠状で、かつ幅広に形成されている。そして、その背面側が洗面所１１の壁に取り付けられるようにして設置されている。さらに、この枠体２１の前端面に鏡２０が取り付けられている。すなわち、枠体２１の内側空間は、鏡２０によって閉じられた空洞部として形成され、当該空洞部内に表示部３が収納される。さらに、枠体２１の上枠および下枠には、表示部３の稼働に伴って発せられた熱を逃がすための通気口２１ａが複数ずつ形成されている。
また、この枠体２１の下方に間隔を空けて洗面テーブル２３が設けられている。
洗面テーブル２３は、枠体２１と略等しい長さに設定され、その背面側と長さ方向両端部とが洗面所１１の壁に取り付けられるようにして設置されている。洗面テーブル２３の下方空間は開放されており、後述する体組成計１ｂが置かれている。
洗面所１１の天井には、音声を出力するスピーカー２４が複数設けられている。これらスピーカー２４は、スピーカーケーブルによって演算部２に接続されている。このようなスピーカー２４を備えることによって、例えば、演算部２の記憶手段に記憶された音声案内プログラムに基づいてスピーカー２４から発せられる音声によって、起床時や帰宅時における操作部４の操作手順等を音声案内することができる。すなわち、ユーザが健康状態を把握する作業を毎日継続できるように、ユーザを巧みに誘導できる。
また、洗面所１１の天井には、鏡２０の前に立つ人の有無を検知する人感センサー２５が設けられている。この人感センサー２５は、当該人感センサー２５の検知信号を処理するマイコンボード２６を介して演算部２に接続されている。なお、人感センサー２５の検知範囲は、人が立って作業をすることが多い洗面テーブル２３の洗面ボウル前方付近とされている。
【００２５】
続いて、このような洗面所１１に対して組み込まれる健康管理システムの各構成について説明する。
まず、測定部１は、ユーザの生体データを測定するものであり、本実施の形態においては、血圧計（図示せず）と、睡眠計（図示せず）と、活動量計１ａと、体組成計１ｂと、が採用されている。
【００２６】
血圧計は、無線通信対応型の従来公知の血圧計が採用されている。すなわち、当該血圧計と演算部２とは、ネットワークを介して無線通信可能に接続されており、血圧計によって測定された血圧に係る生体データ（血圧データ）が、演算部２に伝送されるように設定されている。
【００２７】
睡眠計は、ユーザの睡眠時間や睡眠の状態をスキャンする従来公知の睡眠計であり、その中でも無線通信対応型のものが採用されている。すなわち、当該睡眠計と演算部２とは、ネットワークを介して無線通信可能に接続されており、睡眠計によって測定（スキャン）された睡眠に係る生体データ（睡眠データ）が、演算部２に伝送されるように設定されている。
このような睡眠計によって測定される生体データは、本実施の形態においては睡眠時間とされているが、必要に応じて睡眠時の呼吸パターン等の他の睡眠に係る生体データを測定するようにしてもよい。
なお、このような睡眠計は、ベッドに敷くマットレス型のものでもよいし、枕元に設置する据置型のものでもよい。
【００２８】
活動量計１ａは、加速度センサーが内蔵されており、歩行や走行、日常的な作業での活動量（METs：Metabolic equivalents）および消費カロリーを測定できるものであり、その中でも無線通信対応型のものが採用されている。すなわち、当該活動量計１ａと演算部２とは、ネットワークを介して無線通信可能に接続されており、活動量計１ａによって測定された活動量および消費カロリーに係る生体データ（活動量データおよび消費カロリーデータ）が、演算部２に伝送されるように設定されている。
なお、このような活動量計１ａは持ち運びが可能であり、ユーザが日常的に身につけているものである。
【００２９】
体組成計１ｂは、体重や体脂肪、内臓脂肪、基礎代謝、筋肉量骨量等の体組成を測定できるものであり、その中でも無線通信対応型のものが採用されている。すなわち、当該体組成計１ｂと演算部２とは、ネットワークを介して無線通信可能に接続されており、体組成計１ｂによって測定された体重・体組成に係る生体データ（体重・体組成データ）が、演算部２に伝送されるように設定されている。
【００３０】
なお、各種測定部１が無線通信する方法としては、測定部１自身に備えられた無線通信機能を利用して演算部２に生体データを直接伝送するようにしてもよい。また、例えばBluetooth（登録商標）等の短距離無線通信技術を利用して、生体データを携帯電話やスマートフォン等の情報端末に一旦伝送し、当該情報端末を介して演算部２に伝送する方法を採用してもよい。
【００３１】
演算部２は、図示しないＣＰＵ（Central Processing Unit）やＲＡＭ（Random Access Memory）・ＲＯＭ（Read Only Memory）、各種プログラムや各種データ等を記憶する記憶手段、通信手段等を備えており、汎用のパーソナルコンピュータで構成されている。本実施の形態においては無線ルーター２ａを介してネットワーク（例えばインターネット２ｂ）接続されており、各種の測定部１（１ａ，１ｂ）と通信可能に接続されている。
記憶手段には、各種測定部１（１ａ，１ｂ）から伝送された各種生体データを表示部３に表示するための演算プログラムおよびデータが格納されている。これにより適宜、各種生体データを演算処理し、当該各種生体データを表示部３に表示することができる。
なお、このような演算部２および無線ルーター２ａは、洗濯機置場１１ｂの上方空間を利用した収納空間１１ｃに収納されている。
【００３２】
表示部３は、例えばＨＤＭＩ（High Definition Multimedia Interface）（登録商標）規格等の信号伝送手段を通じて通信を行うディスプレイである。この表示部３は、図５に示すように、正面に設けられる矩形状のディスプレイ本体３ａと、このディスプレイ本体３ａを保持する筺体３ｂとを備えて構成されている。
本実施の形態においては当該表示部３と演算部２は、図２に示すように、例えばＨＤＭＩケーブル等の接続ケーブルによって接続されている。
【００３３】
表示部３は、図２，図３に示すように、洗面台１１ａの鏡２０の背面に設けられている。また、鏡２０としては、普段は通常の鏡として使用することができるハーフミラーが採用されている。
より詳細に説明すると、表示部３は、当該表示部３の筺体に取り付けられる支持部材２２を介して枠体２１に固定されている。さらに、当該表示部３は、そのディスプレイ本体３ａが鏡２０の背面に密着するようにして設けられている。したがって、表示部３に生体データの測定結果を表示する際には、そのディスプレイ本体３ａが発光することによって、当該ディスプレイ本体３ａに表示された測定結果が鏡２０の前面側に映し出されることになる。
また、表示部３は、図２，図４に示すように、洗面テーブル２３の洗面ボウルの真上の位置から側方にずれた位置に配置されている。これによって、例えば洗面ボウルの真上の位置に表示部３を配置する場合とは異なり、洗面ボウル前で鏡２０を見ながら、健康状態を把握する作業を行うことが可能となる。
なお、本実施の形態の鏡２０としてはハーフミラーを採用したが、これに限られるものではなく、ハーフミラーとしての機能を有するもの、すなわちハーフミラーの光学特性を有するものであればよい。
【００３４】
表示部３は、操作部４の操作や人感センサー２５による人の検知等によって起動する設定となっている。すなわち、ディスプレイ本体３ａがＯＮの状態となって所定の画面が映し出されることになる。
ディスプレイ本体３ａに映し出される画面としては、測定部１によって測定される生体データの種類によって異なる測定結果の画面（後述する）を始め、様々な画面が挙げられる。
図６は、生体データの測定結果を映し出す前の待機画面である。待機画面においては生体データの測定結果は表示されない。また、この待機画面には、「日付・時間」欄３０ａ、「気象情報」欄３０ｂ、「気象アドバイス情報」欄３０ｃ、「電力の売買状況」欄３０ｄを表示する各種情報欄がある。当該各種情報欄３０ａ〜３０ｄはその情報の性質上、刻々と変化するものであり、図６の具体例だけに限られるものではない。
また、後述するが、表示部３にはその他にも、操作部４の操作に応じて、呼びかけ欄３１や健康アドバイス表示欄３２、各種の生体データの測定結果を表示する欄３３〜３７等が表示されるように設定されている。
【００３５】
操作部４は、例えばタブレット型の携帯情報端末が用いられている。この操作部４は、図７に示すように、各種の生体データの測定結果を選択するためのメニューが表示される矩形状の表示面４ａと、この表示面４ａを保持する筺体４ｂとを有する。なお、表示面４ａはいわゆるタッチパネルとなっている。
本実施の形態においては当該操作部４と演算部２は、図２に示すように、無線ルーター２ａを介して無線接続されている。
なお、この操作部４は携帯情報端末であるため持ち運びが可能であるが、本実施の形態においては洗面所１１で使用するものとする。ただし、これに限られるものではなく、例えば活動量計１ａのように持ち運んで使用するものと一緒に外出先でも使用することができる。
さらに、本実施の形態において操作部４は携帯情報端末であるとしたが、洗面所１１に設置される据置型の操作パネル（コントローラー）であってもよい。洗面所１１における設置場所についても適宜変更可能である。
【００３６】
操作部４は、ユーザによるＯＮ・ＯＦＦ操作や、人感センサー２５による人の検知によって起動する設定となっている。すなわち、人感センサー２５による人の検知で起動する際は、当該操作部４と共に表示部３も起動することになる。なお、タイマー等によって起動するものとしてもよい。
この操作部４を起動させると、表示面４ａに所定の画面を映し出すことができる。表示面４ａに映し出される画面としては、上述のような各種の生体データの測定結果を選択するためのメニュー画面が挙げられる。
図７は、前記メニュー画面である。このメニュー画面には、複数の選択ボタンが表示された三つの枠４１，４２，４３と、表示部３に表示された画面を操作するためのスイッチを選択できるセレクトスイッチ枠４４とが表示されている。
【００３７】
第一枠４１には、表示部３に表示される画面のジャンルを選択する選択ボタンが表示されている。すなわち、第一枠４１には、ユーザが健康状態を把握する作業を行う時に押される「健康」ボタン４１ａと、建物５内におけるエネルギーマネージメント情報を確認する時に押される「エネルギー」ボタン４１ｂとが表示されている。
【００３８】
第二枠４２は、「健康」に係る複数のコンテンツが表示される項目である。また、第二枠４２には、この第二枠４２内における小枠として、起床時にユーザが健康状態を把握する作業を行うように誘引する起床時メニュー４２Ａと、帰宅時にユーザが健康状態を把握する作業を行うように誘引する帰宅時メニュー４２Ｂと、入浴時にユーザが健康状態を把握する作業を行うように誘引する入浴時メニュー４２Ｃと、がある。
起床時メニュー４２Ａには、ユーザが起床時に血圧の状態を把握する作業を行う時に押される「血圧」ボタン４２ａと、ユーザが起床時に睡眠の状態を把握する作業を行う時に押される「睡眠」ボタン４２ｂとが表示されている。
帰宅時メニュー４２Ｂには、ユーザが帰宅時に消費カロリーを把握する作業を行う時に押される「消費カロリー」ボタン４２ｃと、ユーザが帰宅時に活動量を把握する作業を行う時に押される「活動量」ボタン４２ｄとが表示されている。
入浴時メニュー４２Ｃには、ユーザが入浴時に体重を把握する作業を行う時に押される「体重」ボタン４２ｅが表示されている。
また、第二枠４２には、ユーザが、血圧の状態と、睡眠の状態と、消費カロリーと、活動量と、体重の全てのコンテンツを確認する時に押される「ＡＬＬ」ボタン４２ｆが表示されている。
【００３９】
第三枠４３には、健康に係る複数のコンテンツにおける測定結果の詳細を表示面４ａに表示させるための「詳細」ボタン４３ａが表示されている。
セレクトスイッチ枠４４には、表示部３に表示された画面を操作するためのスイッチとして、「再生（決定）」スイッチ４４ａと、「一時停止」スイッチ４４ｂと、「巻き戻し」スイッチ４４ｃと、「早送り」スイッチ４４ｄとが表示されている。
【００４０】
なお、操作部４の起動時は、図７に示すように、第一枠４１に表示された健康ボタン４１ａとエネルギーボタン４１ｂとが選択操作可能であり、例えばボタンの濃度や明度を高くするなどしてアクティブな状態となっている。この時、第二枠４２や第三枠４３、セレクトスイッチ枠４４の各ボタンは選択操作が不可能であるため、例えばグレイアウトした状態として、非アクティブな状態であることが表現されている。なお、各ボタンをアクティブな状態または非アクティブな状態として表示する手法については特に限定されるものではない。
また、第一枠４１の健康ボタン４１ａを押した後は、第二枠４２に表示された各ボタン４２ａ〜４２ｆがアクティブな状態となり、選択可能となる。また、第二枠４２のいずれかのボタンを押した後は、第三枠４３の詳細ボタン４３ａがアクティブな状態となる。
さらに、第一枠４１および第二枠４２でユーザが押したボタンは、第三枠４３の詳細ボタン４３ａがアクティブな状態となった後も濃度や明度が高い状態を保持する。
【００４１】
また、操作部４は、外部端末５０とネットワーク２ｂを介して通信可能に接続されている。これによって、外部端末５０から操作部４を遠隔操作することができる。したがって、例えば遠隔地に住む高齢者の健康状態を把握したり、高齢者に対して自身の健康状態を把握するように促したりすることができる。
さらに、例えば外部端末５０の所有者が医師等の医療従事者である場合には、当該医療従事者がユーザの健康状態を判断し、ユーザに対して、ユーザの健康状態に関する専門的なアドバイスを提供することができる。
【００４２】
また、本実施の形態の健康管理システムは、図２に示すように、複数のユーザをそれぞれ認識して各ユーザの生体データを測定できるようにするための個人認証手段２７を備える。この個人認証手段２７は、本実施の形態においてはカードリーダーが採用されており、複数のユーザそれぞれに割り振られた個人認証カードを読み込ませることによって個人を認証できるようになっている。これによって、各ユーザは、自身の測定結果を確実に把握することができる。
【００４３】
次に、本実施の形態の健康管理システムを利用した健康管理の流れを説明する。
ここでは、測定部１である血圧計による血圧の測定は、ユーザが、毎日の朝晩に定期的に行っているものとする。
また、表示部３および操作部４は、人感センサー２５による人の検知によって起動する設定となっている。すなわち、ユーザは起床時に、洗顔等の日常的な作業を行うために洗面所１１へと向かい、洗面所１１内に立ち入る。その際に、ユーザは人感センサー２５によって検知される。この時、表示部３および操作部４が起動する。
【００４４】
操作部４が起動したら、ユーザは、個人認証カードをカードリーダー２７に読み取らせて個人認証を行う。
続いてユーザは、図７に示すような表示面４ａに表示されたメニュー画面のうち、健康ボタン４１ａを押す（タップする）。これによって、図８に示すように、第二枠４２にある各ボタンがアクティブな状態となる。
そして、起床時であるため、ユーザは、第二枠４２の起床時メニュー４２Ａに表示された血圧ボタン４２ａと睡眠ボタン４２ｂのうち、いずれか一方を押して選択操作する。ここでは、血圧ボタン４２ａを押したものとする。
【００４５】
血圧ボタン４２ａを押すと、図９に示すように、当該血圧ボタン４２ａはアクティブな状態となり、第二枠４２の他のボタンは非アクティブな状態となる。また、セレクトスイッチ枠４４の各スイッチがアクティブな状態となる。
続いて、ユーザは、セレクトスイッチ枠４４の再生スイッチ４４ａを押す。
再生スイッチ４４ａを押すと、図１０に示すように表示部３に呼びかけ欄３１が表示される。この呼びかけ欄３１には、ユーザの名前とユーザに対する挨拶の言葉が表示されるように設定されている。起床時の場合は、図１０に示すように朝の挨拶が表示される。
【００４６】
呼びかけ欄３１が表示部３に表示された後（例えば３秒後）は、自動遷移して、図１１に示すような健康アドバイス表示欄３２と、血圧グラフ表示欄３３とが表示部３に表示される。
健康アドバイス表示欄３２には、血圧に係るアドバイスが表示される。この血圧に係るアドバイスは、ユーザの血圧の状態に対応して適宜変更されるものであって、図示例に限定されるものではない。
また、健康アドバイス表示欄３２には、ユーザに対して、より詳細な健康情報があることを知らせるための誘導アイコン３２ａが表示される。この誘導アイコン３２ａは、画面上で動くように設定されている。
【００４７】
血圧グラフ表示欄３３には、ユーザの血圧の状態を棒グラフにして表示している。換言すれば、演算部２は、ユーザの血圧に係る生体データの測定結果の数値に対応し、かつ所定の基準線３３ａ，３３ｂに対して垂直な二方向に伸びる棒グラフを、表示部３の血圧グラフ表示欄３３に表示している。なお、これら基準線３３ａ，３３ｂは平行に配置されている。
基準線３３ａは収縮期血圧（いわゆる上の血圧）の基準線であり、基準線３３ｂは拡張期血圧（いわゆる下の血圧）の基準線である。これら基準線３３ａ，３３ｂの数値は、各ユーザに適した数値が採用されており、ユーザごとに適宜変更可能である。
棒グラフは、３日前の晩から当日の朝までの分であり、それぞれ、基準線３３ａから上方および下方に伸びている。また、血圧の数値が、基準線３３ｂには届かない状態となっている。なお、当該棒グラフは、測定結果を表すものであるため日々刻々と変化するものであり、図１１の具体例だけに限られるものではない。
【００４８】
ユーザは、血圧グラフ表示欄３３の棒グラフを確認して、自身の血圧の状態を把握する作業を行う。
また、より詳細な血圧に係る健康情報を知りたい場合には、図９に示す第三枠４３に表示された詳細ボタン４３ａを押す。詳細ボタン４３ａを押すと、図１２に示すような血圧に係る詳細な健康情報が、操作部４の表示面４ａに表示される。
このような詳細な健康情報の画面においては、測定結果を「週間」と「月間」と「過去データ」とで切り換えて表示することができる。表示を切り換える際は、「週間」タブ４５ａと「月間」タブ４５ｂと「過去データ」タブ４５ｃのいずれかを押すことで、表示を切り換えることができる。
以上のようにして、ユーザは、起床時に血圧に係る健康状態を把握することができる。
【００４９】
続いて、ユーザが、第二枠４２の起床時メニュー４２Ａに表示された睡眠ボタン４２ｂを押した場合について説明する。
なお、ここでは、測定部１である睡眠計によって夜間の睡眠の状態がスキャンされ、睡眠計によって測定（スキャン）された睡眠に係る生体データ（睡眠データ）が、演算部２に伝送されている。
【００５０】
睡眠ボタン４２ｂを押すと、図１３に示すように、当該睡眠ボタン４２ｂはアクティブな状態となり、第二枠４２の他のボタンは非アクティブな状態となる。また、セレクトスイッチ枠４４の各スイッチがアクティブな状態となる。
続いて、ユーザは、セレクトスイッチ枠４４の再生スイッチ４４ａを押す。再生スイッチ４４ａを押すと、朝の挨拶が表示された呼びかけ欄３１が表示される。
【００５１】
呼びかけ欄３１が表示部３に表示された後（例えば３秒後）は、自動遷移して、図１４に示すような健康アドバイス表示欄３２と、睡眠グラフ表示欄３４とが表示部３に表示される。
健康アドバイス表示欄３２には、睡眠に係るアドバイスが表示される。この睡眠に係るアドバイスは、ユーザの睡眠の状態に対応して適宜変更されるものであって、図示例に限定されるものではない。
また、健康アドバイス表示欄３２には、画面上で動くように設定された誘導アイコン３２ａが表示される。
【００５２】
睡眠グラフ表示欄３４には、ユーザの睡眠の状態を棒グラフにして表示している。換言すれば、演算部２は、ユーザの血圧に係る生体データの測定結果の数値に対応し、かつ所定の基準線３４ａに対して垂直な二方向に伸びる棒グラフを、表示部３の睡眠グラフ表示欄３４に表示している。
基準線３４ａはユーザの日常的な就寝時間を示す基準線である。この基準線３４ａの数値は、各ユーザに適した数値が採用されており、ユーザごとに適宜変更可能である。
棒グラフは、２日前から当日までの睡眠時間、就寝時間、起床時間を示しており、それぞれ、基準線３４ａに対して垂直な方向に伸びている。基準線３４ａに達しない時間に就寝した場合には、棒グラフと基準線３４ａが交わらない。なお、当該棒グラフは、測定結果を表すものであるため日々刻々と変化するものであり、図１４の具体例だけに限られるものではない。
【００５３】
ユーザは、睡眠グラフ表示欄３４の棒グラフを確認して、自身の血圧の状態を把握する作業を行う。
また、より詳細な睡眠に係る健康情報を知りたい場合には、図１３に示す第三枠４３に表示された詳細ボタン４３ａを押す。詳細ボタン４３ａを押すと、図１５に示すような睡眠に係る詳細な健康情報が、操作部４の表示面４ａに表示される。
このような詳細な健康情報の画面においては、測定結果を「週間」と「月間」と「過去データ」とで切り換えて表示することができる。表示を切り換える際は、「週間」タブ４５ａと「月間」タブ４５ｂと「過去データ」タブ４５ｃのいずれかを押すことで、表示を切り換えることができる。
以上のようにして、ユーザは、起床時に睡眠に係る健康状態を把握することができる。
【００５４】
続いて、健康管理システムを利用した帰宅時における健康管理の流れを説明する。
ここでは、測定部１である活動量計１ａによって、消費カロリーおよび活動量の測定が行われているものとする。なお、活動量計１ａは起床時からユーザが身につけておくようにする。
また、ユーザは帰宅時に、手洗い等の日常的な作業を行うために洗面所１１へと向かい、洗面所１１内に立ち入る。その際に、ユーザは人感センサー２５によって検知される。この時、表示部３および操作部４が起動する。
【００５５】
操作部４が起動したら、ユーザは、個人認証カードをカードリーダー２７に読み取らせて個人認証を行う。
続いてユーザは、図７に示すメニュー画面のうち、健康ボタン４１ａを押す（タップする）。これによって、図８に示すように、第二枠４２にある各ボタンがアクティブな状態となる。そして、帰宅時であるため、ユーザは、第二枠４２の帰宅時メニュー４２Ｂに表示された消費カロリーボタン４２ｃと活動量ボタン４２ｄのうち、いずれか一方を押して選択操作する。ここでは、消費カロリーボタン４２ｃを押したものとする。
【００５６】
消費カロリーボタン４２ｃを押すと、図１６に示すように、当該消費カロリーボタン４２ｃはアクティブな状態となり、第二枠４２の他のボタンは非アクティブな状態となる。また、セレクトスイッチ枠４４の各スイッチがアクティブな状態となる。
続いて、ユーザは、セレクトスイッチ枠４４の再生スイッチ４４ａを押す。
再生スイッチ４４ａを押すと、図１７に示すように表示部３に呼びかけ欄３１が表示される。この呼びかけ欄３１には、ユーザの名前とユーザに対する挨拶の言葉が表示されるように設定されている。帰宅時の場合は、図１７に示すようにユーザを迎える挨拶が表示される。
【００５７】
呼びかけ欄３１が表示部３に表示された後（例えば３秒後）は、自動遷移して、図１８に示すような健康アドバイス表示欄３２と、消費カロリーグラフ表示欄３５とが表示部３に表示される。
健康アドバイス表示欄３２には、消費カロリーに係るアドバイスが表示される。この消費カロリーに係るアドバイスは、ユーザのその日の消費カロリーに対応して適宜変更されるものであって、図示例に限定されるものではない。
また、健康アドバイス表示欄３２には、画面上で動くように設定された誘導アイコン３２ａが表示される。
【００５８】
消費カロリーグラフ表示欄３５には、ユーザの消費カロリーを棒グラフにして表示している。換言すれば、演算部２は、ユーザの消費カロリーに係る生体データの測定結果の数値に対応し、かつ所定の基準線３５ａに対して垂直な二方向に伸びる棒グラフを、表示部３の消費カロリーグラフ表示欄３５に表示している。
基準線３５ａは、１日の目標値を示す基準線であり、この基準線３５ａの数値は、各ユーザに適した数値が採用されており、ユーザごとに適宜変更可能である。
棒グラフは、２日前から当日までの分であり、それぞれ、基準線３５ａに対して垂直に伸びている。消費カロリーが基準線３５ａに達しない場合には、棒グラフと基準線３５ａとが交わらない。なお、当該棒グラフは、測定結果を表すものであるため日々刻々と変化するものであり、図１８の具体例だけに限られるものではない。
【００５９】
ユーザは、消費カロリーグラフ表示欄３５の棒グラフを確認して、自身の消費カロリーを把握する作業を行う。
また、より詳細な消費カロリーに係る健康情報を知りたい場合には、図１６に示す第三枠４３に表示された詳細ボタン４３ａを押す。詳細ボタン４３ａを押すと、図１９に示すような消費カロリーに係る詳細な健康情報が、操作部４の表示面４ａに表示される。
このような詳細な健康情報の画面においては、測定結果を「週間」と「月間」と「過去データ」とで切り換えて表示することができる。表示を切り換える際は、「週間」タブ４５ａと「月間」タブ４５ｂと「過去データ」タブ４５ｃのいずれかを押すことで、表示を切り換えることができる。
以上のようにして、ユーザは、帰宅時に消費カロリーに係る健康状態を把握することができる。
【００６０】
続いて、ユーザが、第二枠４２の帰宅時メニュー４２Ｂに表示された活動量ボタン４２ｄを押した場合について説明する。
活動量ボタン４２ｄを押すと、図２０に示すように、当該活動量ボタン４２ｄはアクティブな状態となり、第二枠４２の他のボタンは非アクティブな状態となる。また、セレクトスイッチ枠４４の各スイッチがアクティブな状態となる。
続いて、ユーザは、セレクトスイッチ枠４４の再生スイッチ４４ａを押す。再生スイッチ４４ａを押すと、ユーザを迎える挨拶が表示された呼びかけ欄３１が表示される。
【００６１】
呼びかけ欄３１が表示部３に表示された後（例えば３秒後）は、自動遷移して、図２１に示すような健康アドバイス表示欄３２と、活動量グラフ表示欄３６とが表示部３に表示される。
健康アドバイス表示欄３２には、活動量に係るアドバイスが表示される。この活動量に係るアドバイスは、ユーザの活動量に対応して適宜変更されるものであって、図示例に限定されるものではない。
また、健康アドバイス表示欄３２には、画面上で動くように設定された誘導アイコン３２ａが表示される。
【００６２】
活動量グラフ表示欄３６には、ユーザの活動量を棒グラフにして表示している。換言すれば、演算部２は、ユーザの活動量に係る生体データの測定結果の数値に対応し、かつ所定の基準線３６ａに対して垂直な二方向に伸びる棒グラフを、表示部３の活動量グラフ表示欄３６に表示している。
基準線３６ａはユーザの外出時と在宅時とを分ける境界線を示す基準線である。この基準線３６ａの数値は、各ユーザに適した数値が採用されており、ユーザごとに適宜変更可能である。
棒グラフは、２日前から当日までの外出時および在宅時における活動量（ＭＥＴｓ）を示しており、それぞれ、基準線３６ａに対して垂直な方向に伸びている。なお、当該棒グラフは、測定結果を表すものであるため日々刻々と変化するものであり、図２１の具体例だけに限られるものではない。
【００６３】
ユーザは、活動量グラフ表示欄３６の棒グラフを確認して、自身の活動量を把握する作業を行う。
また、より詳細な睡眠に係る健康情報を知りたい場合には、図２０に示す第三枠４３に表示された詳細ボタン４３ａを押す。詳細ボタン４３ａを押すと、図２２に示すような活動量に係る詳細な健康情報が、操作部４の表示面４ａに表示される。
このような詳細な健康情報の画面においては、測定結果を「週間」と「月間」と「過去データ」とで切り換えて表示することができる。表示を切り換える際は、「週間」タブ４５ａと「月間」タブ４５ｂと「過去データ」タブ４５ｃのいずれかを押すことで、表示を切り換えることができる。
以上のようにして、ユーザは、帰宅時に活動量に係る健康状態を把握することができる。
【００６４】
続いて、ユーザが、第二枠４２の入浴時メニュー４２Ｃに表示された体重ボタン４２ｅを押した場合について説明する。
なお、ここでは、測定部１である体組成計１ｂによってユーザの主に体重が測定され、体組成計１ｂによって測定された体重・体組成に係る生体データ（体重・体組成データ）が、演算部２に伝送される。
【００６５】
体重ボタン４２ｅを押すと、図２３に示すように、当該体重ボタン４２ｅはアクティブな状態となり、第二枠４２の他のボタンは非アクティブな状態となる。また、セレクトスイッチ枠４４の各スイッチがアクティブな状態となる。
続いて、ユーザは、セレクトスイッチ枠４４の再生スイッチ４４ａを押す。再生スイッチ４４ａを押すと、慰労の挨拶が表示された呼びかけ欄３１が表示される。
【００６６】
呼びかけ欄３１が表示部３に表示された後（例えば３秒後）は、自動遷移して、図２５に示すような健康アドバイス表示欄３２と、体重グラフ表示欄３７とが表示部３に表示される。
健康アドバイス表示欄３２には、体重に係るアドバイスが表示される。この体重に係るアドバイスは、ユーザの体重に対応して適宜変更されるものであって、図示例に限定されるものではない。
また、健康アドバイス表示欄３２には、画面上で動くように設定された誘導アイコン３２ａが表示される。
【００６７】
体重グラフ表示欄３７には、ユーザの体重を棒グラフにして表示している。換言すれば、演算部２は、ユーザの体重に係る生体データの測定結果の数値に対応し、かつ所定の基準線３７ａに対して垂直な二方向に伸びる棒グラフを、表示部３の体重グラフ表示欄３７に表示している。
基準線３７ａは目標体重を示す基準線であり、この基準線３７ａの数値は、各ユーザに適した数値が採用されており、ユーザごとに適宜変更可能である。
棒グラフは、２日前から当日までの体重を目標体重と照らし合わせて示しており、それぞれ、基準線３７ａに対して垂直な方向に伸びている。目標体重以下になった場合には、棒グラフと基準線３７ａとが交わらない。なお、当該棒グラフは、測定結果を表すものであるため日々刻々と変化するものであり、図２５の具体例だけに限られるものではない。
【００６８】
ユーザは、体重グラフ表示欄３７の棒グラフを確認して、自身の体重を把握する作業を行う。
また、より詳細な体重に係る健康情報を知りたい場合には、図２３に示す第三枠４３に表示された詳細ボタン４３ａを押す。詳細ボタン４３ａを押すと、図２６に示すような体重に係る詳細な健康情報が、操作部４の表示面４ａに表示される。
このような詳細な健康情報の画面においては、測定結果を「週間」と「月間」と「過去データ」とで切り換えて表示することができる。表示を切り換える際は、「週間」タブ４５ａと「月間」タブ４５ｂと「過去データ」タブ４５ｃのいずれかを押すことで、表示を切り換えることができる。
以上のようにして、ユーザは、起床時に睡眠に係る健康状態を把握することができる。
【００６９】
続いて、第二枠４２のＡＬＬボタン４２ｆを押した場合について説明する。
ＡＬＬボタン４２ｆを押すと、図１１に示す血圧グラフ表示欄３３と、図１４に示す睡眠グラフ表示欄３４と、図１８に示す消費カロリーグラフ表示欄３５と、図２１に示す活動量グラフ表示欄３６と、図２５に示す体重グラフ表示欄３７とが、表示部３に順番に全て表示される。
より詳細には、ＡＬＬボタン４２ｆを押すと、当該ＡＬＬボタン４２ｆはアクティブな状態となり、第二枠４２の他のボタンは非アクティブな状態となる。また、セレクトスイッチ枠４４の各スイッチがアクティブな状態となる。
続いて、ユーザが、セレクトスイッチ枠４４の再生スイッチ４４ａを押すと、各コンテンツのグラフ表示欄が順番に表示されることになる。なお、各グラフ表示欄が切り替わるタイミングは、人感センサー２５によって人が検知された時である。
また、セレクトスイッチ枠４４の一時停止スイッチ４４ｂを押せば、表示部３に表示されているグラフ表示欄を一時停止させ、人感センサー２５によって人の検知が行われた場合であっても、画面が切り替わらないようにすることができる。なお、再生スイッチ４４ａを押せば一時停止は解除される。
さらに、巻き戻しスイッチ４４ｃや早送りスイッチ４４ｄを押せば、表示部３の画面を切り替えて一つ手前のグラフ表示欄や次のグラフ表示欄を表示させることができる。
【００７０】
なお、第一枠４１に表示されたエネルギーボタン４１ｂを押すと、建物５内におけるエネルギーマネージメント情報の画面４６を確認することができる。
より詳細には、エネルギーボタン４１ｂを押すと、図２７に示すように、当該エネルギーボタン４１ｂはアクティブな状態となり、健康ボタン４１ａは非アクティブな状態となる。そして、エネルギーボタン４１ｂを押した後は、操作部４の表示面４ａに、エネルギーマネージメント情報の画面４６が表示される。
なお、このエネルギーマネージメント情報は、ユーザが建物５内で使用される各種エネルギーの使用状況を確認したり、家族間でのコミュニケーションツールとして利用したりする際に使う情報である。
【００７１】
本実施の形態によれば、操作部４の表示面４ａに表示されるメニューに、起床時にユーザが健康状態を把握する作業を行うように誘引する起床時メニュー４２Ａと、帰宅時にユーザが健康状態を把握する作業を行うように誘引する帰宅時メニュー４２Ｂと、が含まれるので、ユーザを、起床時に起床時メニュー４２Ａを選択するように誘導できるとともに、帰宅時に帰宅時メニュー４２Ｂを選択するように誘導できる。これによって、健康状態を把握する作業を毎日継続しやすくなる。
また、表示部３は、ハーフミラーとしての機能を有する洗面台１１ａの鏡２０の背面に設けられているので、普段は鏡２０を通常の鏡として使用することができ、健康状態を把握する作業を行う際に鏡２０を、健康状態の確認画面として使用することができる。
【００７２】
また、操作部４の表示面４ａに表示されるメニューに、入浴時にユーザが健康状態を把握する作業を行うように誘引する入浴時メニュー４２Ｃが含まれるので、ユーザを、入浴時に入浴時メニュー４２Ｃを選択するように誘導できる。これによって、健康状態を把握する作業を毎日継続しやすくなる。
【００７３】
また、演算部２は、各種の生体データの測定結果の数値に対応し、かつ所定の基準線３３ａ，３３ｂ，３４ａ，３５ａ，３６ａ，３７ａに対して垂直な二方向に伸びる棒グラフを表示部３に表示するので、ユーザは、基準線３３ａ，３３ｂ，３４ａ，３５ａ，３６ａ，３７ａと棒グラフとを比較して、自身の健康状態を容易に把握することができる。
【００７４】
〔変形例〕
なお、本発明を適用可能な実施形態は、上述した実施形態に限定されることなく、本発明の趣旨を逸脱しない範囲で適宜変更可能である。以下、変形例について説明する。
【００７５】
図２９は、操作部の変更に伴う表示部の画面の変形例を示す図である。本変形例における健康管理システムは、各種の生体データの測定結果を選択するための操作部として距離センサー（図示せず）を備える。
また、上述の操作部４においては、当該操作部４自体が、各種の生体データの測定結果を選択するためのメニューが表示される表示面４ａを備えるものとしたが、本変形例においては表示部３に、各種の生体データの測定結果を選択するためのメニューが表示される。
すなわち、本変形例の健康管理システムは、距離センサーによってユーザの動作を検知し、それに基づいて、表示部３に表示されるメニューの選択が行えるように構成されている。より詳細に説明すると、ユーザは、距離センサーを利用し、手振り等のジェスチャーによってメニューの選択を行うことができる。
【００７６】
表示部３に表示されるメニューの種類・機能は上述の実施形態と略同様である。なお、本変形例においては、操作部である距離センサーおよび表示部３は、ユーザによるＯＮ・ＯＦＦ操作や、人感センサー２５による人の検知によって起動する設定となっている。
操作部および表示部３の起動後、表示部３には、図２９に示すように、「日付・時間」欄３０ａ、「気象情報」欄３０ｂ、「気象アドバイス情報」欄３０ｃ、「電力の売買状況」欄３０ｄを表示する各種情報欄が表示されるとともに、各種の生体データの測定結果を選択するためのメニュー画面が表示される。
【００７７】
このメニュー画面には、複数の選択ボタンが表示された三つの枠１４１，１４２，１４３が表示されている。なお、これら三つの枠１４１，１４２，１４３は、選択作業を行う枠がアクティブな状態となり、その他の枠は非アクティブな状態となるものとする。
【００７８】
第一枠１４１には、表示部３に表示される画面のジャンルを選択するアイコンが表示されている。すなわち、第一枠１４１には、ユーザが健康状態を把握する作業を行う時に選択される「健康」アイコン１４１ａと、建物５内におけるエネルギーマネージメント情報を確認する時に選択される「エネルギー」アイコン１４１ｂとが表示されている。
さらに、健康アイコン１４１ａとエネルギーアイコン１４１ｂとの間には、左向きの矢印Ｙ１と右向きの矢印Ｙ２とが表示されている。当該矢印Ｙ１，Ｙ２は、ユーザがジェスチャーによって、健康アイコン１４１ａとエネルギーアイコン１４１ｂのいずれかを選択する際のジェスチャー（手振り）の方向を示している。
すなわち、健康アイコン１４１ａを選択する際は、ユーザは鏡２０に向かって立ち、自身の手を左の方向に振ることで、当該健康アイコン１４１ａを選択することができる。一方、自身の手を右の方向に振ることで、エネルギーアイコン１４１ｂを選択することができる。
【００７９】
第二枠１４２は、「健康」に係る複数のコンテンツが表示される項目である。また、第二枠１４２には、この第二枠１４２内における小枠として、起床時にユーザが健康状態を把握する作業を行うように誘引する起床時メニュー１４２Ａと、帰宅時にユーザが健康状態を把握する作業を行うように誘引する帰宅時メニュー１４２Ｂと、入浴時にユーザが健康状態を把握する作業を行うように誘引する入浴時メニュー１４２Ｃと、がある。
起床時メニュー１４２Ａには、ユーザが起床時に血圧の状態を把握する作業を行う時に選択される「血圧」アイコン１４２ａと、ユーザが起床時に睡眠の状態を把握する作業を行う時に選択される「睡眠」アイコン１４２ｂとが表示されている。
帰宅時メニュー１４２Ｂには、ユーザが帰宅時に消費カロリーを把握する作業を行う時に選択される「消費カロリー」アイコン１４２ｃと、ユーザが帰宅時に活動量を把握する作業を行う時に選択される「活動量」アイコン１４２ｄとが表示されている。
入浴時メニュー１４２Ｃには、ユーザが入浴時に体重を把握する作業を行う時に選択される「体重」アイコン１４２ｅが表示されている。
また、第二枠１４２には、ユーザが、血圧の状態と、睡眠の状態と、消費カロリーと、活動量と、体重の全てのコンテンツを確認する時に選択される「ＡＬＬ」アイコン１４２ｆが表示されている。
【００８０】
起床時メニュー１４２Ａと、帰宅時メニュー１４２Ｂと、入浴時メニュー１４２Ｃと、ＡＬＬアイコン１４２ｆは、上下左右の十字方向に配置されている。また、その中央には、上向きの矢印Ｙ３と右向きの矢印Ｙ４と左向きの矢印Ｙ５と下向きの矢印Ｙ６とが表示されている。これら矢印は、第二枠１４２内のアイコンのいずれかを選択する際のジェスチャー（手振り）の方向を示している。
すなわち、起床時メニュー１４２Ａを選択する際は、ユーザは鏡２０に向かって立ち、自身の手を上の方向に振ることで、当該起床時メニュー１４２Ａを選択することができる。起床時メニュー１４２Ａが選択されると、第二枠１４２中の、当該起床時メニュー１４２Ａのみがアクティブな状態となる。そして、血圧アイコン１４２ａと睡眠アイコン１４２ｂとを選択することができる状態となる。これら血圧アイコン１４２ａと睡眠アイコン１４２ｂとを選択する際、ユーザは、自身の手を上の方向に振ることで血圧アイコン１４２ａを選択することができ、自身の手を下の方向に振ることで睡眠アイコン１４２ｂを選択することができる。なお、血圧アイコン１４２ａと睡眠アイコン１４２ｂのいずれかが選択された場合には、第一枠１４１と第二枠１４２とが表示されている部分が消え、代わりに、例えば図１１に示すような血圧に係る健康情報が表示される（第三枠１４３は残る）。すなわち、健康アドバイス表示欄３２と血圧グラフ表示欄３３に表示される情報が、第一枠１４１と第二枠１４２が消えた箇所に表示される。
第一枠１４１と第二枠１４２が消えた箇所に表示される画面には、より詳細な健康情報があることを知らせるか（例えば誘導アイコン３２ａと同様の機能）、または、その詳細な健康情報を表示する画面に移行するための操作を誘引するようなアイコン（後述する詳細アイコン１４３ａまたは矢印Ｙ８と同様の機能）が表示される。
また、このような要領で、帰宅時メニュー１４２Ｂの消費カロリーアイコン１４２ｃと活動量アイコン１４２ｄの選択作業も行うことができる。
入浴時メニュー１４２ＣおよびＡＬＬアイコン１４２ｆは、当該アイコン１４２Ｃ，１４２ｆを選択した時点で適宜、健康情報を表示することができる。
【００８１】
また、第二枠１４２内には円状の矢印Ｙ７が表示されており、ユーザが当該矢印Ｙ７の向きと同様にジェスチャー（手振り）をすることで、第一枠１４１がアクティブ化された状態の画面、または一つ前の画面に戻ることができる。
また、図示はしないが、健康情報を表示する画面に、円状の矢印が表示されていてもよい。当該円状の矢印の向きと同様にジェスチャー（手振り）をすることで、第二枠１４２がアクティブ化された状態の画面に戻ることができる。すなわち、例えば血圧アイコン１４２ａが選択され、健康情報が表示された後に、当該円状の矢印に即してジェスチャーすることで、健康アイコン１４１ａを選択した直後の画面に戻ることができる。または、一つ前の画面に戻る設定であってもよい。
【００８２】
第三枠１４３には、健康に係る複数のコンテンツにおける測定結果の詳細を表示部３に表示させるための「詳細」アイコン１４３ａと、「再生・一時停止」アイコン１４３ｂと、「巻き戻し」アイコン１４３ｃと、「早送り」アイコン１４３ｄと、が表示されている。
詳細アイコン１４３ａの近傍には下向きの矢印Ｙ８が表示される。ユーザが自身の手を矢印Ｙ８の方向に振ることで詳細アイコン１４３ａを選択することができる。なお、詳細アイコン１４３ａが選択された場合には、第一枠１４１と第二枠１４２が表示されていた部分に、詳細な健康情報を表示することができる。
また、第三枠１４３内には円状の矢印Ｙ１２が表示されており、ユーザが当該矢印Ｙ１２の向きと同様にジェスチャー（手振り）をすることで、第二枠１４２に戻ることができ、各アイコン１４２Ａ，１４２Ｂ，１４２Ｃ，１４２ｆの選択を再度行うことができる。
【００８３】
「再生・一時停止」アイコン１４３ｂ、「巻き戻し」アイコン１４３ｃ、「早送り」アイコン１４３ｄは、上述の「再生（決定）」スイッチ４４ａおよび「一時停止」スイッチ４４ｂと、「巻き戻し」スイッチ４４ｃと、「早送り」スイッチ４４ｄに対応するアイコンである。
再生・一時停止アイコン１４３ｂの近傍には上向きの矢印Ｙ９が表示される。ユーザが自身の手を矢印Ｙ９の方向に振ることで再生・一時停止アイコン１４３ｂを選択することができる。
巻き戻しアイコン１４３ｃの近傍には左向きの矢印Ｙ１０が表示される。ユーザが自身の手を矢印Ｙ１０の方向に振ることで巻き戻しアイコン１４３ｃを選択することができる。
早送りアイコン１４３ｄの近傍には右向きの矢印Ｙ１１が表示される。ユーザが自身の手を矢印Ｙ１１の方向に振ることで早送りアイコン１４３ｄを選択することができる。
ユーザは、当該矢印Ｙ９，Ｙ１０，Ｙ１１に対応する動作を行うことで、適宜画面の操作を行うことができる。
【００８４】
なお、以上の変形例における手振りを中心としたジェスチャーの方法は、あくまでも一例であり、これに限られるものではない。例えば画面を操作する際の手振りの方向（各矢印Ｙ１〜Ｙ１２の向き）等は適宜変更可能である。
また、以上の変形例においては、手振りを中心としたジェスチャーに基づいて表示部３に表示される画面の操作を行うものとしたが、その他にも、指さしで画面の操作を行えるようにしてもよいし、手以外の体の部分を使って画面の操作を行えるようにしてもよい。
【００８５】
さらに、その他の変形例として、音声による画面の操作が可能であってもよい。この場合の健康管理システムは、各種の生体データの測定結果を選択するための操作部としてマイクロフォン（図示せず）を備え、表示部３に、各種の生体データの測定結果を選択するためのメニューが表示される。
すなわち、このような場合の健康管理システムは、例えば第一枠１４１において、ユーザが「ケンコウ」と発声すれば、健康アイコン１４１ａを選択することができる。また、第二枠１４２において、ユーザが「キショウ」と発声すれば（または、「オハヨウ」等のように「起床」に類する言葉を発声すれば）、起床時メニュー１４２Ａを選択することができる。
このような要領で、表示部３に表示される画面の操作を適宜行えるようにしてもよいものとする。
さらには、健康管理システムは、位置センサーとマイクロフォンの双方を備え、ジェスチャーと音声の双方で表示部３に表示される画面の操作を行えるようにしてもよいものとする。
【符号の説明】
【００８６】
１  測定部
２  演算部
３  表示部
４  操作部
５  建物
１１  洗面所
１１ａ  洗面台
２０  鏡
【図１】
2015082209.tif 000003
【図２】
2015082209.tif 000004
【図３】
2015082209.tif 000005
【図４】
2015082209.tif 000006
【図５】
2015082209.tif 000007
【図６】
2015082209.tif 000008
【図７】
2015082209.tif 000009
【図８】
2015082209.tif 000010
【図９】
2015082209.tif 000011
【図１０】
2015082209.tif 000012
【図１１】
2015082209.tif 000013
【図１２】
2015082209.tif 000014
【図１３】
2015082209.tif 000015
【図１４】
2015082209.tif 000016
【図１５】
2015082209.tif 000017
【図１６】
2015082209.tif 000018
【図１７】
2015082209.tif 000019
【図１８】
2015082209.tif 000020
【図１９】
2015082209.tif 000021
【図２０】
2015082209.tif 000022
【図２１】
2015082209.tif 000023
【図２２】
2015082209.tif 000024
【図２３】
2015082209.tif 000025
【図２４】
2015082209.tif 000026
【図２５】
2015082209.tif 000027
【図２６】
2015082209.tif 000028
【図２７】
2015082209.tif 000029
【図２８】
2015082209.tif 000030
【図２９】
2015082209.tif 000031